(57)【要約】  【目的】  本発明は、キャビネットやロッカー等の開口部を開閉する扉に設けられる扉のラッチ装置に関するものであり、防盗性に優れ、ワンタッチで簡単に取り付ける事ができ、取り付け時に特に困難な作業が不要であり、作業のスピードアップがはかれる扉のラッチ装置を提供する事を目的とする。    【構成】  キャビネット本体等の前面開口部に開閉自在に取り付けられる扉の折曲縁裏面側上下端部に回動軸の上下端部に取り付けられたラッチ爪部材が挿通可能なラッチ爪挿通部を設け、ラッチ爪挿通部の内側に位置して、扉の表面板裏面に嵌合保持部材を取り付け、回動軸に沿って上下方向に移動可能とした嵌合部材を、ラッチ爪部材の係合部がラッチ爪挿通部より扉の裏面側に突出した状態で、前記嵌合保持部材に上下方向から嵌合係止し、回動軸を回動自在に保持したものである。【選択図】    図１
2006112028.tif 000002
【特許請求の範囲】
【請求項１】
キャビネット本体等の前面開口部に開閉自在に取付けられる扉の折曲縁裏面側上下端部に回動軸の上下端部に取付けられたラッチ爪部材が挿通可能なラッチ爪挿通部を設け、ラッチ爪挿通部の内側に位置して、扉の表面板裏面に嵌合保持部材を取付け、回動軸に沿って上下方向に移動可能とした嵌合部材を、ラッチ爪部材の係合部がラッチ爪挿通部より扉の裏面側に突出した状態で、前記嵌合保持部材に上下方向から嵌合係止し、回動軸を回動自在に保持したことを特徴とする扉のラッチ装置。
【請求項２】
嵌合保持部材は、所定間隔を有して対向する上下方向の嵌合突片と、嵌合部材を上下方向で係止する係止孔を有し、嵌合部材は嵌合突片に嵌合する上下方向の嵌合溝と、係止孔に係止する係止突起を有することを特徴とする請求項１に記載の扉のラッチ装置。
【発明の詳細な説明】
【技術分野】
【０００１】
本発明は、キャビネットやロッカー等の開口部を開閉する扉に設けられる扉のラッチ装置に関するものである。
【背景技術】
【０００２】
この種のラッチ装置としては、扉の側縁部内側の凹溝部に嵌め込んで取付けられる本体ケース内に基端部が回動自在に軸支され、先端部がフック状をなして本体ケース壁の窓部から外部に突出可能なラッチ部材を備え、該ラッチ部材を扉の把手部の操作と連動させる扉のラッチ装置において、前記本体ケース壁の窓部の周囲に突出部を設け、該突出部の基部に、扉の凹溝部側に形成された差込部に差し込み可能な差込溝を設ける一方、前記突出部の側部に、先端に係止爪を有する舌片部を設け、該係止爪を凹溝部に形成された係止孔に係止させてなるものがある。（例えば、特許文献１参照。）
この場合、ラッチ部材および本体ケースは扉の側縁部内側の凹溝部に保持されているので、扉が施錠された状態で、扉が無理に開放されようとする場合（盗難の時等）、扉の側縁部内側が変形（扉の側縁部内側と表側の間隔が広げられる。）し、本体ケースの係止爪が係止孔から外れ、本体ケースが凹溝部から脱落する事があり、特に防盗性に問題があった。
【０００３】
【特許文献１】実公平７−４３０２号公報
【発明の開示】
【発明が解決しようとする課題】
【０００４】
本発明は、防盗性に優れ、ワンタッチで簡単に取付ける事ができ、特に組み立てに困難な作業が不要であり、取付け作業のスピードアップがはかれる扉のラッチ装置を提供する事を課題とする。
【課題を解決するための手段】
【０００５】
そこで、上記課題を解決する為、本発明が第１の手段として構成したところは、キャビネット本体等の前面開口部に開閉自在に取付けられる扉の折曲縁裏面側上下端部に回動軸の上下端部に取付けられたラッチ爪部材が挿通可能なラッチ爪挿通部を設け、ラッチ爪挿通部の内側に位置して、扉の表面板裏面に嵌合保持部材を取付け、回動軸に沿って上下方向に移動可能とした嵌合部材を、ラッチ爪部材の係合部がラッチ爪挿通部より扉の裏面側に突出した状態で、前記嵌合保持部材に上下方向から嵌合係止し、回動軸を回動自在に保持したものである。
【０００６】
次に、本発明が第２の手段として構成したところは、第１の手段としての構成に加え、嵌合保持部材は、所定間隔を有して対向する上下方向の嵌合突片と、嵌合部材を上下方向で係止する係止孔を有し、嵌合部材は嵌合突片に嵌合する上下方向の嵌合溝と、係止孔に係止する係止突起を有するものである。
【発明の効果】
【０００７】
第１の手段として構成したところによると、嵌合保持部材を扉の表面板裏面に取付け、この嵌合保持部材に嵌合部材を保持し、上下端部にラッチ爪部材を取付けた回動軸を、嵌合部材に回動自在に保持しているので、扉が施錠された状態で、扉が無理に開放されようとしても（盗難の時等）、嵌合保持部材は扉の表面板全体で保持する事となり、変形して嵌合部材が脱落するようなことがない。
嵌合部材が回動軸に沿って上下方向に移動可能とし、嵌合保持部材に上下方向から嵌合係止し、回動軸を回動自在に保持しているので、ラッチ爪部材をラッチ爪挿通部に嵌入した状態で、嵌合部材を回動軸に沿って上下方向に移動させるだけで、扉にラッチ装置が取付けられるので、ワンタッチで簡単に取付ける事ができ、特に困難な作業を必要とせず、取付け作業のスピードアップがはかれる。
【０００８】
第２の手段として構成したところによると、第１の手段として構成したところの効果に加え、嵌合保持部材は、所定間隔を有して対向する上下方向の嵌合突片と、嵌合部材を上下方向で係止する係止孔を有し、嵌合部材は嵌合突片に嵌合する上下方向の嵌合溝と、係止孔に係止する係止突起を有するだけの簡単な構造であるから、安価に製作出来る。
【発明を実施するための最良の形態】
【０００９】
本発明は、キャビネット本体等の前面開口部に開閉自在に取付けられる扉の折曲縁裏面側上下端部に回動軸の上下端部に取付けられたラッチ爪部材が挿通可能なラッチ爪挿通部を設け、ラッチ爪挿通部の内側に位置して、扉の表面板裏面に嵌合保持部材を取付け、回動軸に沿って上下方向に移動可能とした嵌合部材を、ラッチ爪部材の係合部がラッチ爪挿通部より扉の裏面側に突出した状態で、前記嵌合保持部材に上下方向から嵌合係止し、回動軸を回動自在に保持し、嵌合保持部材は、所定間隔を有して対向する上下方向の嵌合突片と、嵌合部材を上下方向で係止する係止孔を有し、嵌合部材は嵌合突片に嵌合する上下方向の嵌合溝と、係止孔に係止する係止突起を有するものである。
【実施例】
【００１０】
以下、添付図面に基づいて実施例を説明する。
図１〜図５において、符号１は扉を示している。
扉１は、表面板１０と、表面板１０の周部に連設された断面Ｌ字形の折曲縁１１より方形板状に形成され、折曲縁１１の裏面側上下端部１２、１２（下側は図示せず。）に下部が開口するラッチ爪挿通部１３、１３（下側は図示せず。）が形成されている。
符号２、２（下側は図示せず。）は、ラッチ爪挿通部１３の内側に位置して、扉１の表面板１０の裏面に取付けられる嵌合保持部材を示し、符号３、３は（下側は図示せず。）嵌合保持部材２に嵌合係止される嵌合部材を示し、符号４は嵌合部材に回動自在に保持ざれる回動軸を示し、符号５、５（下側は図示せず。）は回動軸４の上下端部に取付けられるラッチ爪部材を示し、符号６は把手部材７内に臨む操作片を示している。
【００１１】
嵌合保持部材２、２は、扉１の表面板１０の裏面の上下端部に上下対称に取付けられているので上側についてのみ説明する。
嵌合保持部材２は、基板２１の左右端部を扉１の裏面側上端部１２方向に折り曲げられ左右方向に所定間隔を有して対向する上下方向の保持突片２０、２０と、保持突片２０、２０の端部を互いに接近する方向に折り曲げて左右方向に所定間隔を有して対向する上下方向の嵌合突片２２、２２と、基板２１の上端部を裏面側上端部１２方向に断面上向きＬ字形に折り曲げて形成された支持突片２３を有し、支持突片２３には嵌合突片２２、２２の上方やや内側に位置する個所に、後記する嵌合部材３が係止する係止孔２４、２４が形成されている。
そして、支持突片２３の上端面が上側の折曲縁１１の裏面に当接し、嵌合突片２２、２２間の中央部分にラッチ爪挿通部１３が位置する個所で、基板２１が表面板１０の裏面側にスポット溶接等にて固着され、嵌合保持部材２は扉１の裏面側に取付けられている。
【００１２】
嵌合部材３、３は、嵌合保持部材２、２に対応して上下対称に配設されているので、上側についてのみ説明する。
嵌合部材３は、上下方向に回動軸４が回動自在に貫通する貫通孔３１が形成された基部３２と、基部３２の左右端面３３、３３の扉１の表面板１０側半分を嵌合保持部材２の保持突片２０、２０間の寸法に合致するよう窪ませて保持突片２０、２０の内面で保持される被保持面３４、３４と、被保持面３４、３４と左右端面３３、３３間に形成され、前記嵌合突片２２、２２が嵌合する嵌合溝３５、３５と、被保持面３４、３４と嵌合溝３５、３５の下端部で外方に突出し、保持突片２０、２０と嵌合突片２２、２２の下端面を支持する支持突壁３６、３６と、被保持面３４、３４上端付近から上方に突出し、前記係止孔２４、２４に下方から係止し、嵌合部材３が不測に下方に移動するのを防止する係止突起３８、３８が先端に形成された係止脚部３７、３７が、合成樹脂材より一体に成形されて構成されている。
【００１３】
回動軸４は角棒にて構成され、上下方向中央部に操作片６が固着され、回動保持部材８、８を上下端部から回動自在に外嵌して操作片６の上下に位置させ、さらに、前記嵌合部材３、３を上下端部から貫通孔３１にて回動自在に外嵌し、さらに、ラッチ爪部材５、５を上下端部に取付けた状態で、操作片６が扉１の表面板１０に取付けられた把手部７に、操作片６が臨むように取付けられる。
【００１４】
回動保持部材８、８は同形に形成されているので、上側についてのみ説明する。
回動保持部材８は、上下方向に回動軸４が回動自在に貫通する貫通孔８１と、上下方向中央部の外周端面に形成され後記する後保持孔および前保持孔の端面が嵌合する円形嵌合溝８２を有し、合成樹脂材より一体に成形されている。
ラッチ爪部材５、５は、上下対称に配設されているので、上側についてのみ説明する。
ラッチ爪部材５は、キャビネット本体１００の被係合部９１に係合する係合部５１と、回動軸４の端部に回動不能に外嵌する角状の嵌合凹部５２が形成された嵌合筒部５３を有し、合成樹脂材より一体に形成されている。
操作片６は、横断面ヘの字形で、回動軸４に取付けられたラッチ爪部材５の係合部５１が常にキャビネット本体１００の被係合部９１に係合する方向に回動力を付与する引っ張りバネ７０の端部が連結されるバネ取付座６１が下端部に形成されている。
【００１５】
被係合部９１は、図４に示すように、合成樹脂製の被係合部材９に一体に形成されている。
被係合部材９は、扉１の閉鎖状態で、ラッチ爪挿通部１３に対応してキャビネット本体１００の上下端部に形成された取付孔１０１に取付けられ、被係合部９１は被係合部材９の開口部９２の内面側で後方に向かって突出している。
【００１６】
把手部材７は合成樹脂材より一体に成形され、表面板１０に形成された把手取付孔（図示せず。）に取付けられ、内部に前記操作片６が臨んでいる
そして、操作孔７１より、指先を挿入して操作片６を操作し、表面板１０の裏面に取付けられたカバー取付座７２と操作片６のバネ取付座６１間に張設された引っ張りバネ７０の引っ張り力に抗して回動軸４を回動させて、ラッチ爪部材５を図４において時計回りに回動させ、被係合部９１と係合部５１の係合状態を解除し（図４の二点鎖線で示す状態。）、扉１が開放される。
符号７３は、カバー取付座７２の裏面側にネジ止めされ、カバー取付座７２、把手部材７、操作片６を隠蔽するとともに、回動保持部材８、８を介して回動軸４を回動自在に保持するカバー体を示している。
【００１７】
カバー取付座７２は、取付基板７２１の上下端部に形成された上下支持突片７２２、７２２と、扉１の側方端部側の折曲縁１１に対応し、折曲縁１１と所定間隔を有して形成された側方支持突片７２３よりなり、上下支持突片７２２、７２２の折曲縁１１寄りに回動保持部材８、８の円形嵌合溝８２に端面が嵌合する半円形の後保持孔７２４、７２４が形成され、側方支持突片７２３には連結孔７２５、７２５が形成されている。
【００１８】
カバー体７３は、扉１の表面板１０側が開口する箱状をなし、扉１の側方端部側の折曲縁１１と表面板１０間に嵌入する嵌入突部７３１と、側方支持突片７２３の外側に重合し、連結孔７２５、７２５に対応する連結孔７３２、７３２が形成された連結突片７３４と、後保持孔７２４、７２４に対応する前保持孔７３５、７３５を有する上下保持突片７３６、７３６が形成されている。
前保持孔７３５、７３５は、後保持孔７２４、７２４と同様に、その端面が回動保持部材８、８の円形嵌合溝８２に嵌合する。すなわち、回動保持部材８、８が、カバー取付座７２とカバー体７３とによって前後左右方向に移動不可に保持されることにより、回動軸４は上下方向の中央部で扉１に対してぐらつくことなく、回動自在に保持される。
【００１９】
本発明は上記の如く構成され、操作片６が固着された回動軸４の上下端部から、回動保持部材８、８を外嵌して操作片６の上下に位置させ、さらに、前記嵌合部材３、３を上下端部から貫通孔３１にて回動自在に外嵌し、さらに、ラッチ爪部材５、５を上下端部に取付けた状態で、操作片６が扉１の表面板１０に取付けられた把手部材７の操作孔７１内に臨むよう位置せしめ、回動保持部材８、８の円形嵌合溝８２、８２をカバー取付座７２の後保持孔７２４、７２４の端面に嵌合させ、同時に、ラッチ爪部材５、５の嵌合筒部５３、５３をラッチ爪挿通部１３、１３内に位置せしめた状態で、上下の嵌合部材３、３を上下方向に移動して、嵌合溝３５・・・に嵌合保持部材２、２の嵌合突片２２・・・を嵌入しつつ、さらに嵌合部材３、３を上下方向に移動して、嵌合部材３、３の係止突起３８・・・を上下方向から嵌合保持部材２、２の係止孔２４・・・に係止し、同時に保持突片２０・・・と嵌合突片２２・・・の端部に支持突壁３６・・・・を当接させ、嵌合保持部材２、２に嵌合部材３、３を係止する事により、係合部５１、５１がラッチ爪挿通部１３、１３より扉１の裏面側に突出した状態で、回動軸４の上下端部を扉１に回動自在に保持する。
【００２０】
次に、カバー体７３の嵌入突部７３１を扉１の側方端部側の折曲縁１１と表面板１０間に裏面側斜め方向から嵌入し、前保持孔７３５、７３５の端面が回動保持部材８、８の円形嵌合溝８２、８２に嵌合して、回動保持部材８、８を前保持孔７３５、７３５と後保持孔７２４、７２４で保持した状態で、側方支持突片７２３と連結突片７３４をネジ止めし、カバー取付座７２とカバー体７３を連結する。
【図面の簡単な説明】
【００２１】
【図１】ラッチ装置の要部分解斜視図
【図２】ラッチ装置の上側部分の要部分解斜視図
【図３】ラッチ装置のラッチ爪部材部分の要部断面図
【図４】図３のＡ−Ａ線部分断面図
【図５】図３のＢ−Ｂ線部分断面図
【符号の説明】
【００２２】
１                扉
１０              表面板
１１              折曲縁
１２              裏面側上下端部
１３              ラッチ爪挿通部
２                嵌合保持部材
２２              嵌合突片
２４              係止孔
３                嵌合部材
３１              貫通孔
３５              嵌合溝
３８              係止突起
４                回動軸
５                ラッチ爪部材
５１              係合部
【図１】
2006112028.tif 000003
【図２】
2006112028.tif 000004
【図３】
2006112028.tif 000005
【図４】
2006112028.tif 000006
【図５】
2006112028.tif 000007